(57)【要約】      （修正有）【課題】縦枠に縦樹脂枠を用いながら、簡単な構造で火災発生時における縦樹脂枠の脱落を防止することのできるサッシを提供する。【解決手段】上枠と下枠及び左右の縦枠１２を枠組みしてなる枠体１内に障子４を納めてなり、縦枠１２は縦金属枠の室内側に縦樹脂枠３０を配設し、縦樹脂枠３０は縦金属枠１２の内周面と対向する内周面部３０ａを有し、内周面部３０ａと縦金属枠１２の内周面の間に空間部３１を形成し、空間部３１内には縦樹脂枠３０の長手方向に沿い該縦樹脂枠３０に固定される金属製の芯材３２が設けられ、縦金属枠１２と芯材３２とは金属製で変形可能な連結部材３３により連結されてなる。【選択図】図３
2014077326.tif 000002
【特許請求の範囲】
【請求項１】
上枠と下枠及び左右の縦枠を枠組みしてなる枠体内に障子を納めてなり、前記縦枠は縦金属枠の室内側に縦樹脂枠を配設したサッシにおいて、
前記縦樹脂枠は前記縦金属枠の内周面と対向する内周面部を有し、該内周面部と前記縦金属枠の内周面の間に空間部を形成し、該空間部内には前記縦樹脂枠の長手方向に沿い該縦樹脂枠に固定される金属製の芯材が設けられ、前記縦金属枠と芯材とは金属製で変形可能な連結部材により連結されてなることを特徴とするサッシ。
【請求項２】
前記連結部材は金属製のワイヤーを有してなることを特徴とする請求項１記載のサッシ。
【請求項３】
前記縦樹脂枠は、室外側部に回転係合部を、室内側部に係止部を、それぞれ備え、前記縦金属枠に対して前記回転係合部を係合させ、該回転係合部を中心に前記縦樹脂枠を回動させて前記係止部を前記縦金属枠に対して係止してなることを特徴とする請求項１または２記載のサッシ。
【発明の詳細な説明】
【技術分野】
【０００１】
本発明は、建物開口部に設けられる枠体内に障子を納めてなるサッシに関し、特に縦枠の室内側を覆う縦樹脂枠が火災発生時に脱落しないように対策したサッシに関する。
【背景技術】
【０００２】
建物開口部に設けられる枠体内に障子を納めてなるサッシにおいて、金属枠の室内側露出面を樹脂枠で被覆してなることにより、断熱性や意匠性を向上させることができる。このようなサッシとしては、例えば特許文献１に挙げるようなものがある。
【先行技術文献】
【特許文献】
【０００３】
【特許文献１】特開２０１２−１２２３０３号公報
【発明の概要】
【発明が解決しようとする課題】
【０００４】
サッシには、火災発生時に高温に晒されても容易に脱落しない防火性能が求められる。金属枠の室内側に樹脂枠を設けたサッシが高温に晒された場合、樹脂枠が先に軟化する。特に、縦枠に設けられる縦樹脂枠が軟化すると、縦金属枠から外れて自立できなくなり、脱落する。火災の状況などによって縦樹脂枠がどの箇所に脱落するかは予測が困難であり、脱落した箇所によっては縦樹脂枠が発火する可能性もある。
【０００５】
これを防止するため、防火性能を高めたサッシにおいては、樹脂枠を無くしてしまうか、または樹脂枠の材質を変更するか、あるいは縦樹脂枠をネジなどで金属部材に固定することが行われていた。
【０００６】
しかし、縦樹脂枠を無くしたり材質を変更すると、断熱性や意匠性を損ねることとなるし、また、縦樹脂枠をネジなどで固定するとしても、意匠性を悪化させたり、さらには固定のための構造が複雑になるなどして、コストアップを招いていた。
【０００７】
本発明は前記課題を鑑みてなされたものであり、縦枠に縦樹脂枠を用いながら、簡単な構造で火災発生時における縦樹脂枠の脱落を防止することのできるサッシを提供することを目的とする。
【課題を解決するための手段】
【０００８】
前記課題を解決するため、請求項１の発明に係るサッシは、上枠と下枠及び左右の縦枠を枠組みしてなる枠体内に障子を納めてなり、前記縦枠は縦金属枠の室内側に縦樹脂枠を配設したサッシにおいて、
前記縦樹脂枠は前記縦金属枠の内周面と対向する内周面部を有し、該内周面部と前記縦金属枠の内周面の間に空間部を形成し、該空間部内には前記縦樹脂枠の長手方向に沿い該縦樹脂枠に固定される金属製の芯材が設けられ、前記縦金属枠と芯材とは金属製で変形可能な連結部材により連結されてなることを特徴として構成されている。
【０００９】
請求項１に係る発明によれば、火災発生時に縦樹脂枠が軟化しても、縦金属枠と連結された芯材によって縦樹脂枠が倒れないように支持することができる。
【００１０】
また、請求項２の発明に係るサッシは、前記連結部材は金属製のワイヤーを有してなることを特徴として構成されている。
【００１１】
請求項２に係る発明によれば、変形自在な連結部材を簡易な部品で構成することができる。
【００１２】
さらに、請求項３の発明に係るサッシは、前記縦樹脂枠は、室外側部に回転係合部を、室内側部に係止部を、それぞれ備え、前記縦金属枠に対して前記回転係合部を係合させ、該回転係合部を中心に前記縦樹脂枠を回動させて前記係止部を前記縦金属枠に対して係止してなることを特徴として構成されている。
【００１３】
請求項３に係る発明によれば、縦樹脂枠の縦金属枠に対する固定作業を、連結部材の縦金属枠に対する連結作業と共に容易に行うことができる。
【発明の効果】
【００１４】
本発明に係るサッシによれば、簡単な構造で火災発生時における縦樹脂枠の脱落を防止すると共に、芯材が縦金属枠に直接固定されていないので、芯材を縦樹脂枠の伸縮に追従させることができる。
【図面の簡単な説明】
【００１５】
【図１】本実施形態におけるサッシの縦断面図である。
【図２】本実施形態におけるサッシの横断面図である。
【図３】図２のうち外障子が配置される側の縦枠付近拡大図である。
【図４】縦樹脂枠を縦枠に取付ける際の縦枠付近横断面図である。
【発明を実施するための形態】
【００１６】
本発明の実施形態について図面に沿って詳細に説明する。図１には本実施形態におけるサッシの縦断面図を、図２には本実施形態におけるサッシの横断面図を、それぞれ示している。これら各図に示すように、本実施形態のサッシは、上枠１０と下枠１１及び左右の縦枠１２，１２を方形状に枠組みしてなる枠体１内に内障子４と外障子５を引き違い状に納め、上枠１０には収納部２を設けて扉体３を収納すると共に、扉体３を引き出し自在としたシャッター付サッシとして構成されている。
【００１７】
内障子４と外障子５は、それぞれ上框４０と下框４１及び左右の縦框４２，４２を方形状に框組みしてなる框体６内に、ガラス板からなるパネル体７を納めて構成されている。枠体１を構成する下枠１１には、内障子４を長手方向に案内する内レール部１１ｂと、外障子５を長手方向に案内する外レール部１１ｃとが形成されている。また、枠体１を構成する上枠１０には、内障子４の上辺を長手方向に案内する上内レール部１０ａと、外障子５の上辺を長手方向に案内する上外レール部１０ｂとが形成されている。
【００１８】
上枠１０に設けられた収納部２は、扉体３を巻き上げ自在に保持する巻き取り軸２０を内部に備え、下辺には扉体３を挿通させる開口部２１を備えている。扉体３は、縦方向に複数のスラット２２が連結されてなり、下端部には扉体３の略全幅に渡る幅木部材２３が設けられている。縦枠１２の室外側には、扉体３の両端部を案内するガイドレール部材１３が設けられている。
【００１９】
金属材からなる上枠１０と下枠１１及び縦枠１２の室内端部には、樹脂製のアングル部材１４が設けられている。アングル部材１４は、枠体１の内周面室内端部に当接する内周面部１４ａと、枠体１の室内側面に当接する室内面部１４ｂと、室内側に向かって延出されたアングル部１４ｃとを有している。
【００２０】
図３には、図２のうち外障子５が配置される側の縦枠１２付近拡大図を示している。外障子５が配置される側の縦枠１２内周面は、外障子５よりも室内側の部分が室内側に露出するので、これを覆うように縦樹脂枠３０が設けられる。
【００２１】
縦樹脂枠３０は、縦枠１２の内周面と対向する内周面部３０ａと、縦枠１２の内周面に対して当接する当接面部３０ｂと、室外側に面する室外面部３０ｃと、室内側に面する室内面部３０ｄと、内周面部３０ａと当接面部３０ｂの間を渡す中間面部３０ｅとを有している。これにより、内周面部３０ａと縦枠１２の内周面との間には、空間部３１が形成される。
【００２２】
また、縦樹脂枠３０の室外端部には、縦枠１２の内周面に形成されたＬ状突出部１２ａに対して回転係合する回転係合部３０ｆが形成され、縦樹脂枠３０の室内端部には、アングル部材１４の室内面部１４ｂに形成される被係止部１４ｄに対して係止される係止部３０ｇが形成されている。
【００２３】
縦樹脂枠３０の空間部３１内には、アルミ製またはスチール製の芯材３２が固定されている。芯材３２は、断面略コ字状に形成され、縦樹脂枠３０の長手方攻略全長に渡る長さを有している。芯材３２は、略コ字状の一方の側面が中間面部３０ｅに当接すると共に、底面部分で縦樹脂枠３０に対してリベット止め固定されている。また、芯材３２の室内側面と縦枠１２とは、空間部３１内において連結部材３３により互いに連結されている。
【００２４】
連結部材３３は、芯材３２に対してビス止め固定される芯材固定部３３ｂと、縦枠１２に対してビス止め固定される縦枠固定部３３ｃと、芯材固定部３３ｂ及び縦枠固定部３３ｃを繋ぐワイヤー部３３ａとからなっている。ワイヤー部３３ａは、金属製であって変形自在に構成されている。
【００２５】
図４には、縦樹脂枠３０を縦枠１２に取付ける際の縦枠１２付近横断面図を示している。縦樹脂枠３０には、予め芯材３２が固定されていると共に、芯材３２には連結部材３３の芯材固定部３３ｂが固定されている。縦樹脂枠３０を縦枠１２に取付ける際には、まず室外端部に設けられた回転係合部３０ｆを縦枠１２のＬ状突出部１２ａに対して係合させ、連結部材３３の縦枠固定部３３ｃを縦枠１２に対して固定し、縦樹脂枠３０を回転させて縦樹脂枠３０の係止部３０ｇをアングル部材１４の被係止部１４ｄに対して係止固定させる。
【００２６】
連結部材３３の縦枠固定部３３ｃは、アングル部材１４の内周面部１４ａに当接し、アングル部材１４を縦枠１２に固定するビス３４で共締めされることによって、縦枠１２に対して固定される。これにより、連結部材３３を介して芯材３２が金属製の縦枠１２に対して連結される。
【００２７】
芯材３２が連結部材３３を介して金属製の縦枠１２に連結されていることにより、火災が発生して縦樹脂枠３０が軟化して自立できなくなった場合であっても、芯材３２が縦樹脂枠３０を支持し、縦樹脂枠３０が倒れて発火することのないようにすることができる。
【００２８】
その一方で、芯材３２が縦枠１２に直接固定されていると、縦樹脂枠３０の伸縮に追従できないため、縦樹脂枠３０に過大な力がかかることになるが、連結部材３３が変形自在なワイヤー部３３ａを有し、このワイヤー部３３ａを介して芯材３２と縦枠１２とが連結されていることにより、縦樹脂枠３０が温度変化によって伸縮した場合に、芯材３２がその伸縮に追従することができ、縦樹脂枠３０に過大な力がかかることを防止することができる。
【００２９】
以上、本発明の実施形態について説明したが、本発明の適用は本実施形態には限られず、その技術的思想の範囲内において様々に適用されうるものである。本実施形態のサッシは、シャッター付サッシであるが、シャッターを有しない通常のサッシであっても本発明を適用できる。また、引き違いサッシ以外の種類のサッシであっても、縦樹脂枠が設けられるものであれば、本発明を適用することができる。
【符号の説明】
【００３０】
１    枠体
２    収納部
３    扉体
４    内障子
５    外障子
６    框体
７    パネル体
１０    上枠
１１    下枠
１２    縦枠
１４    アングル部材
１４ａ  内周面部
１４ｂ  室内面部
１４ｃ  アングル部
１４ｄ  被係止部
３０    縦樹脂枠
３０ａ  内周面部
３０ｂ  当接面部
３０ｃ  室外面部
３０ｄ  室内面部
３０ｅ  中間面部
３０ｆ  回転係合部
３０ｇ  係止部
３１    空間部
３２    芯材
３３    連結部材
３３ａ  ワイヤー部
３３ｂ  芯材固定部
３３ｃ  縦枠固定部
３４    ビス
【図１】
2014077326.tif 000003
【図２】
2014077326.tif 000004
【図３】
2014077326.tif 000005
【図４】
2014077326.tif 000006